(57)【特許請求の範囲】
【請求項１】
横方向ボーリング孔の孔内を撮影するための孔内撮影装置であって、
照明装置とカメラ本体とを前端側に備える孔内カメラと、
該孔内カメラの外面に設置され、前記横方向ボーリング孔の径方向に突出するように配置されて前記孔内カメラを支持する複数の突起体と、
前記孔内カメラの後端側に設置され、長さを調整可能なロッドと、を備え、
前記突起体が、引張力により前記孔内カメラの外面から分離可能に設置されることを特徴とする孔内撮影装置。
【請求項２】
横方向ボーリング孔の孔内を撮影するための孔内撮影装置であって、
照明装置とカメラ本体とを前端側に備える孔内カメラと、
該孔内カメラの外面に設置され、前記横方向ボーリング孔の径方向に突出するように配置されて前記孔内カメラを支持する複数の突起体と、
前記孔内カメラの後端側に設置され、長さを調整可能なロッドと、を備え、
前記突起体が、前記孔内カメラの外面に対して引張力により分離可能に巻き付け固定した面状材に設置されることを特徴とする孔内撮影装置。
【請求項３】
請求項１または２に記載の孔内撮影装置において、
前記突起体が、合成樹脂材よりなることを特徴とする孔内撮影装置。
【発明の詳細な説明】
【技術分野】
【０００１】
本発明は、横方向ボーリング孔の孔内を撮影するための孔内撮影装置に関する。
【背景技術】
【０００２】
構造物を構築するにあたり、施工予定領域の地質状況を把握するべく地山を水平方向に穿孔して調査用のボーリング孔を設け、地質調査を行うボーリング調査が広く知られている。また、これらボーリング孔を利用してカメラを挿入し、カメラにて撮影されたボーリング孔内の画像を施工管理者が目視で観察することにより、施工予定領域の地質状況を把握する調査方法も知られている。
【０００３】
例えば、特許文献１には、ケーシングを用いた中堀工法にて水平方向に地山を穿孔して調査用のボーリング孔を設け、該調査用のボーリング孔にケーシングを残して穿孔ビットを引き抜いたのち、ボアホールカメラをケーシング内に挿入するとともにケーシングの先端開口から突出させ、ボアホールカメラにて孔壁を撮影する方法が開示されている。
【先行技術文献】
【特許文献】
【０００４】
【特許文献１】特開平０９−１３２９９２号公報
【発明の概要】
【発明が解決しようとする課題】
【０００５】
しかし、特許文献１に記載の撮影方法は崩壊性の地盤を調査することを目的としていることから、水平方向のボーリング孔内に孔壁を保護するためのケーシングを設置している。このため、水平方向のボーリング孔が長尺な場合には、ケーシングの設置が煩雑であるとともに、工費が膨大となりやすい。
【０００６】
また、崩壊性でない地盤を調査する場合であっても、水平方向にボーリング孔を穿孔すると、ボーリング孔内の下部にスライムが貯留しやすい。このため、ボーリング孔内に挿入したカメラはスライム内に埋没して孔内を鮮明に撮影できない、もしくは、スライムにて進路が塞がれ、カメラが所望の撮影位置まで到達できない等の課題が生じる。
【０００７】
本発明は、かかる課題に鑑みなされたものであって、その主な目的は、簡略な構成で操作性がよく、また鮮明な画像を撮影することが可能な横方向ボーリング孔の孔内を撮影するための孔内撮影装置を提供することである。
【課題を解決するための手段】
【０００８】
かかる目的を達成するため、本発明の孔内撮影装置は、横方向ボーリング孔の孔内を撮影するための孔内撮影装置であって、照明装置とカメラ本体とを前端側に備える孔内カメラと、該孔内カメラの外面に設置され、前記横方向ボーリング孔の径方向に突出するように配置されて前記孔内カメラを支持する複数の突起体と、前記孔内カメラの後端側に設置され、長さを調整可能なロッドと、を備え、前記突起体が、引張力により前記孔内カメラの外面から分離可能に設置されることを特徴とする。また、本発明の孔内撮影装置は、前記突起体が、前記孔内カメラの外面に対して引張力により分離可能に巻き付け固定した面状材に設置されることを特徴とする。
【０００９】
上記の孔内撮影装置によれば、孔内カメラが横方向ボーリング孔の孔壁と孔内カメラの外面との間に位置する突起体により支持されるから、孔内カメラと孔壁との間に隙間が形成される。これにより、例えば地山に穿孔した横方向ボーリング孔に孔内撮影装置を適用する場合、ボーリング孔内にスライムが滞留していても、これらの大半は、孔内カメラと孔壁との間の隙間に位置することとなる。
【００１０】
このため、孔内カメラがスライムに埋没することがなく、孔内カメラにて孔壁の亀裂や地質状況等ボーリング孔内における孔壁の状態を鮮明に撮影することができ、調査対象の地質を正確に目視確認することが可能となる。
【００１１】
また、孔内カメラを前進または後退させる際に、スライムが滞留していることによる孔内カメラに作用する挿入抵抗や引抜抵抗を最小限に抑えることができる。これにより、ロッドを介して人力にて孔内カメラを容易に挿入または引抜きできるため、カメラ画像による孔壁の目視観察を短時間かつ簡易に行うことが可能となる。
【００１２】
さらに、孔内撮影装置が、孔内カメラに突起体と長さ調整可能なロッドを備えるのみの簡略な構造であるため、安価な材料にて孔内撮影装置を製作することができ、調査に係る費用を大幅に削減することが可能となるとともに、汎用性が高く、横方向ボーリング孔の内径の大小や長さの長短に影響されることなく、いずれの横方向ボーリング孔の孔壁観察にも適用することが可能となる。
【００１５】
上記の孔内撮影装置によれば、何らかの事情により横方向ボーリング孔に狭隘部が生じ突起体が食い込んだ場合に、孔内撮影装置に対して横方向ボーリング孔の軸心方向に所定以上の力を作用させると、突起体および面状体に引張力が作用するため、突起体および面状体を孔内カメラの外周面から分離させることができる。これにより、突起体および面状体がボーリング孔内に残置されるものの、孔内カメラをスムーズに回収することができ、回収した孔内カメラを繰り返し使用することが可能となり経済的である。
【００１６】
本発明の孔内撮影装置は、前記突起体が、合成樹脂材よりなることを特徴とする。
【００１７】
上記の孔内撮影装置によれば、突起体を現場にて適宜カットし、横方向ボーリング孔の内径に応じた長さに適宜調整することができるため、汎用性が高く取り扱いも容易である。
【発明の効果】
【００１８】
本発明によれば、孔内カメラの外周面に孔内カメラの荷重を支持可能に形成される突起体を設けるとともに、後端側に長さ調整可能なロッドを備えるから、構成が簡略で操作性がよく、長尺なボーリング孔に容易に適用することが可能になるとともに、突起体により孔壁と孔内カメラの下部との間に形成された隙間により孔内に貯留するスライムの影響を最小にして、鮮明な画像を撮影することが可能となる。
【図面の簡単な説明】
【００１９】
【図１】孔内撮影装置をボーリング孔内に配置する際の図である。
【図２】孔内撮影装置の外周面に設置する突起体を示す図である。
【図３】孔内撮影装置のロッドを示す図である。
【図４】突起体の詳細を示す図である。
【図５】孔内撮影装置をボーリング孔から撤去する際の図である。
【発明を実施するための形態】
【００２０】
以下に、本発明の孔内撮影装置１を、図１〜図５を用いて説明する。
【００２１】
本発明の孔内撮影装置１は、新設または既設の横方向ボーリング孔に挿入し、孔壁や孔底の状態をカメラ画像にて目視観察するための装置である。本実施の形態では、図１に示すように、孔内撮影装置１を地山に穿孔した横方向のボーリング孔Ａに適用する場合を例にとり、以下に詳述する。なお、本発明において、横方向とは水平方向のみでなく、斜め方向を含むものである。
【００２２】
孔内撮影装置１は、図１に示すように、孔内カメラ２と、孔内カメラ２の外面に設置した複数の突起体３と、孔内カメラ２の後端側に設置したロッド４とにより構成される。
【００２３】
孔内カメラ２は、図２（ａ）に示すように、孔内を撮影するカメラ本体２１と、カメラ本体２１を収納して保護するカメラ保護体２２とを備える。
【００２４】
カメラ本体２１は、鉛直方向のボーリング孔や井戸内の撮影等に従来より広く使用されているＣＣＤ方式のカメラであり、静止画および動画のいずれも撮影することも可能である。このカメラ本体２１には、図２（ｂ）に示すように、ＬＥＤ照明２３が備えられており、暗い孔内においてもフルカラーの明瞭な画像が得られる構成となっている。
【００２５】
また、カメラ本体２１はビデオケーブル２４を介して、図１に示すような、ボーリング孔Ａの孔外に設置した端末装置Ｐと有線接続されている。したがって、カメラ本体２１にて撮影した孔内画像は、端末装置Ｐに備えたディスプレイ等の出力装置にてリアルタイムで目視確認することが可能であるとともに、端末装置Ｐに備えた記憶装置にて記憶することも可能である。
【００２６】
カメラ保護体２２は、図２（ａ）、（ｂ）に示すように、カメラ本体２１を収納できる大きさの筒状体であり、塩ビ管やアルミニウム管等の軽量かつ水密で、ボーリング孔Ａの孔壁に崩落が生じても変形しない程度の剛性を有する材料により形成される。そして、カメラ保護体２２の一方の端面２２ａは開口され、他方の端面２２ｂは閉塞されており、図２（ｂ）に示すように、一方の端面２２ａにカメラ本体２１が臨むようにして、カメラ保護体２２の内方にカメラ本体２１が配置される。
【００２７】
したがって、孔内カメラ２は、カメラ本体２１が臨むカメラ保護体２２の一方の端面２２ａを前端側としてボーリング孔Ａ内に挿入される。
【００２８】
なお、カメラ保護体２２の形状は必ずしも筒状体に限定されるものではなく、カメラ本体２１を収納できる大きさであれば何れの形状のものを適用してもよい。
また、カメラ本体２１には防水仕様のカメラを採用するが、カメラ保護体２２の一方の端面２２ａにおける開口とその内方に位置するカメラ本体２１との間には図示しないパッキン等の止水部材を配置する。これにより、ボーリング孔Ａ内に地下水が滞留している場合や湧水によりボーリング孔Ａ内が水没した場合にも、カメラ保護体２２の内方に水が入ることはない。
【００２９】
そして、図２（ａ）に示すように、上述する孔内カメラ２の後端側、つまりカメラ保護体２２の他方の端面２２ｂには、ボーリング孔Ａ内にて孔内カメラ２を前進もしくは後退させるためのロッド４が着脱自在に設置されている。
【００３０】
該ロッド４は、図３に示すように、パイプ材よりなる複数のロッド本体４１を連結して形成されるものであり、その材質は、カメラ保護体２２と同様に、塩ビ管やアルミニウム管等の軽量で、ボーリング孔Ａの孔壁に崩落が生じても変形しない程度の剛性を有する材料よりなる。そして、ロッド本体４１の一方の端部には雄継手４１ａ、他方の端部に雌継手４１ｂがそれぞれ設けられており、これらは互いに嵌合する。したがって、ロッド４は、ロッド本体４１を所望の数量だけ連結することにより、その長さを自在に調整することが可能である。
【００３１】
また、孔内カメラ２の後端側、つまりカメラ保護体２２の他方の端面２２ｂに、ロッド本体の雄継手４１ａまたは雌継手４１ｂのいずれかに嵌合可能な継手２２ｃが形成されており、ロッド本体４１の雄継手４１ａまたは雌継手４１ｂが着脱自在に取り付け可能となっている。これにより、該ロッド４は、孔内カメラ２と接続される。
【００３２】
これにより、孔内撮影装置１は施工者がロッド４を把持し孔内カメラ２をボーリング孔内に挿入することにより、孔内カメラ２に収納されたカメラ本体２１にて孔内の様子を撮影することが可能となる。また、ボーリング孔Ａが長尺な場合には、適宜ロッド本体４１を連結しつつロッド４の長さを調整しながら孔内カメラ２を挿入することにより、ボーリング孔Ａ内におけるいずれの孔壁位置にも孔内カメラ２を到達させることができる。
【００３３】
なお、ロッド４の構造やロッド４と孔内カメラ２との連結構造は、必ずしも上述した構成に限定されるものではない。施工者が孔内カメラ２をボーリング孔Ａ内に挿入できる構成を有していれば、いずれに形成されていてもよい。
【００３４】
また、図２（ａ）に示すように、カメラ保護体２２の他方の端面２２ｂには、ロッド４の内部と連通する図示しない通し穴が設けられている。そして、この通し穴を介して前述したカメラ保護体２２に収納されたカメラ本体２１のビデオケーブル２４が、ロッド４の内部に配線されるが、ビデオケーブル２４の配線は必ずしもこれに限定されるものではない。例えば、ロッド４の外周面に沿わせる構成としてもよい。
【００３５】
さらに、図示しないが、ロッド本体４１に目盛を設けておき、孔内撮影装置１をボーリング孔Ａ内に挿入した際に、孔口から孔内カメラ２までの距離を簡易測定可能に構成してもよい。
【００３６】
孔内撮影装置１はさらに、図１に示すように、孔内カメラ２の外周面に複数の突起体３を備えている。
【００３７】
突起体３は棒状体よりなり、図１（ｂ）に示すように、前述した孔内カメラ２を構成するカメラ保護体２２の外面にボーリング孔Ａの径方向に突出するように設置される。本実施の形態では、突起体３は円筒状のカメラ保護体２２の外周面から放射方向に等間隔で突出するように複数配置されている。放射方向の配置間隔はいずれでもよいが、４０°〜４５°のピッチで配置することが望ましい。また、突起体３はカメラ保護体２２の放射方向だけでなく、図１（ａ）に示すように、長手方向にも複数本配置されている。
【００３８】
これら複数の突起体３は、図２（ｂ）に示すように、孔内カメラ２におけるカメラ本体２１の中心とボーリング孔Ａの軸線Ｃとが一致するように、その長さを調整しており、孔内カメラ２がボーリング孔Ａ内に挿入された際にセンタライザとして機能する。本実施の形態では、突起体３に合成樹脂材を適用しており、センタライザとして機能する長さとなるよう、ボーリング孔Ａの内径に応じて現場にて適宜突起体３をカットし、その長さを調整可能にしている。
【００３９】
ところで、本発明の孔内撮影装置１は横方向のボーリング孔Ａに適用するものであるから、孔内撮影装置１を横方向のボーリング孔Ａに挿入した際に、孔内カメラ２の下部とボーリング孔Ａの孔壁との間に位置する突起体３には、図１（ｂ）に示すように、孔内カメラ２の荷重が作用する。このため、複数の突起体３は、孔内カメラ２の荷重が作用した際にも変形することなく支持可能に形成されている。
【００４０】
孔内カメラ２を支持するための突起体３の構造としては、例えば、突起体３に孔内カメラ２を支持するのに十分な剛性を有する材料を採用すればよい。この場合には、孔内カメラ２に対する放射方向の配置間隔を広くすることができるとともに、長手方向の配置本数を減らすことができる。また、突起体３に剛性の低い材料を用いる場合には、孔内カメラ２に対する放射方向の配置間隔を狭くし、また長手方向の配置本数を増やせばよい。
このように突起体３は、適用したい材料の剛性と孔内カメラ２に対する放射方向の配置間隔および長手方向の配置本数を適宜調整することにより、孔内カメラ２を支持可能な構成とすればよい。
【００４１】
さらに、上述する構成の突起体３は、所定量以上の引張力が作用すると孔内カメラ２の外面から分離するよう設置されている。しかし、その設置方法はなんら限定されるものではなく、直接設置してもよいし、間接的に設置してもよい。
【００４２】
突起体３を直接的に設置する方法としては、例えば孔内カメラ２の外面に接着剤により接着固定すればよい。また、突起体３を間接的に設置する方法としては、例えば図４に示すような、突起体３を備えた面状体３１を孔内カメラ２の外面に分離可能に設置するとよい。
以下に、突起体３を備えた面状体３１を孔内カメラ２の外面に対して分離可能に設置する事例を詳述する。
【００４３】
面状体３１は、図４に示すように、一方向に延在する線材３１ａを複数並列に間隔を設けて配置するとともに、これと交差する方向に延在する線材３１ｂを同じく複数並列に間隔を設けて配置し、交点を一体に固着した格子状の網体により構成されている。これらは、突起体３と同様の合成樹脂材により成形され、一方の面に間隔を設けて複数の突起体３を一体に固着している。
【００４４】
これら面状体３１を孔内カメラ２に設置する際には、図２（ａ）に示すように、突起体３が配置された面を外側に向けた面状体３１を、孔内カメラ２を構成するカメラ保護体２２に巻き付けたうえで、面状体３１の両端に位置する線材３１ａに結束バンド等の固定部材５を掛け渡し締め付け固定する。また、カメラ保護体２２の一方の端部２２ａの端縁に図示しない穴を形成し、図２（ｂ）に示すように、該穴を介して面状体３１を構成する線材３１ｂとカメラ保護体２２とを同じく結束バンド等の固定部材５にて固定する。
【００４５】
また、固定部材５は、面状体３１を構成する線材３１ａ、３１ｂより引張力の強い部材を採用している。これにより、所定量以上の引張力が固定部材５と面状体３１の両者に作用した際には、固定部材５より先行して線材３１ａ、３１ｂが破断する。
【００４６】
このため、例えば、突起体３を備えた面状体３１がボーリング孔Ａの孔壁における狭隘部に食い込んだ場合、孔内撮影装置１にボーリング孔Ａの軸線方向の力、つまり押込力もしくは引抜力を加える。すると、面状体３１及び固定部材５の両者に引張力が作用する。そして、この引張力が所定量以上になると、面状体３１を構成する線材３１ａ、３１ｂが固定部材５より先行して破断するため、面状体３１は孔内カメラ２から容易に分離する。
【００４７】
なお、面状体３１と固定部材５は必ずしも上記の構成に限定されるものではなく、面状体３１と孔内カメラ２とを分離可能にするものであれば、例えば、固定部材５に、面状体３１を構成する線材３１ａ、３１ｂより先行して破断する材料を採用してもよい。
【００４８】
上述する構成により、本発明の孔内撮影装置１は、施工者がロッド４を把持して孔内カメラ２をボーリング孔Ａ内に挿入すると、複数の突起体３がセンタライザとして機能するため、孔内カメラ２はボーリング孔Ａの孔壁に触れることなく、カメラ本体２１の中心はボーリング孔Ａの軸線と合致する位置に配置される。
【００４９】
また、孔内カメラ２とボーリング孔Ａの孔壁との間には突起体３により隙間が形成されるから、例えば図１に示すように、ボーリング孔Ａ内にスライムＢが滞留している場合においても、これらスライムＢは大半が、突起体３により形成された孔内カメラ２とボーリング孔Ａの孔壁との間に位置することとなる。このため、孔内カメラ２をボーリング孔Ａ内に挿入しても孔内カメラ２がスライムＢに埋没することがなく、カメラ本体２１にてボーリング孔Ａにおける孔壁の亀裂や地質状況等ボーリング孔Ａ内を鮮明に撮影することができ、調査対象の地質を正確に目視確認することが可能となる。
【００５０】
また、孔内カメラ２をボーリング孔Ａ内にて前進させても、スライムＢを孔内カメラ２とボーリング孔Ａの孔壁との間の隙間から逃すことができる。したがって、孔内カメラ２に作用する挿入抵抗を最小限に抑えることができるため、人力にて孔内撮影装置１による孔内の観察を短時間かつ簡易に行うことが可能となる。
【００５１】
一方、孔内カメラ２を引き抜く際においても同様に、スライムＢを孔内カメラ２とボーリング孔Ａの孔壁との間の隙間から逃すことができる。したがって、孔内カメラ２に作用する引抜抵抗を最小限に抑えることが可能となる。
【００５２】
また、例えば孔内カメラ２による孔内観察の途中段階において、ボーリング孔Ａにおける孔壁の一部が崩壊してボーリング孔Ａに部分的な狭隘部が生じ、当該狭隘部に突起体３が食い込んだ場合には、ロッド４を介して孔内カメラ２に引抜力を作用させ続ければよい。
【００５３】
そうすると、面状体３１及び固定部材５には孔内カメラ２を介して引張力が作用するため、当該引張力が所定量以上になると、図５に示すように、面状体３１は孔内カメラから分離される。これにより、突起体３および面状体３１は、ボーリング孔Ａ内に残置されるものの、孔内カメラ２をスムーズに回収することが可能となる。したがって、回収した孔内カメラ２を繰り返し使用することが可能となる。
【００５４】
本発明の孔内撮影装置１は、上記実施形態に限定されるものではなく、本発明の趣旨を逸脱しない範囲で種々の変更が可能である。
【００５５】
例えば、本実施の形態では、孔内撮影装置１を地山に穿孔したボーリング孔Ａに適用する場合を例にとり詳述したが、横方向ボーリング孔は、必ずしもこれに限定されるものではない。例えば、既存のコンクリート構造物に対して健全性を調査する際に、コアを採取するべく穿孔した水平方向のコアボーリング等に適用してもよい。
【００５６】
また、本実施の形態では、突起体３を棒状体に形成し、図２に示すように、孔内カメラ２の外周面に対して放射方向に４０°の等間隔で配置するとともに、長手方向に６本配置したが、突起体３の形状や本数、配置間隔は、必ずしも上述する構成に限定されるものではない。センタライザとして機能するとともに、孔内カメラ２の下部とボーリング孔Ａの孔壁との間に位置する突起体３にて孔内カメラ２の荷重を支持できれば、いずれの形状、数量及び配置に設置してもよい。
【００５７】
さらに、本実施の形態では、面状体３１に格子状の網体を採用したが、必ずしもこれに限定されるものではない。孔内カメラ２の外面に沿うように屈曲することが可能な部材であれば、織布や格子形状の異なる網体、帯状材等いずれの面状体３１を採用してもよい。また、面状体３１は、ジオグリッドや猫除け用マット等市販の合成樹脂材よりなる材料を適宜使用してもよい。
【符号の説明】
【００５８】
１    孔内撮影装置
２    孔内カメラ
２１  カメラ本体
２２  カメラ保護体
２３  ＬＥＤ照明
２４  ビデオケーブル
３    突起体
３１  面状体
４    ロッド
４１  ロッド本体
５    固定部材
Ａ    横方向のボーリング孔
Ｂ    端末装置
【図１】
0006503712.tif 000002
【図２】
0006503712.tif 000003
【図３】
0006503712.tif 000004
【図４】
0006503712.tif 000005
【図５】
0006503712.tif 000006